(57)【特許請求の範囲】
【請求項１】
上面と下面を有し、下面に天井ボードが取り付けられる天井野縁において、
前記天井野縁は上方に反らされた形状を呈しており、当該反り形状を保持するための形状保持部材が前記天井野縁の長手方向に沿って、前記天井野縁を覆って取り付けられたことを特徴とする形状保持部材付き天井野縁。
【請求項２】
前記形状保持部材は、前記天井野縁を上方に反らせた状態で、前記天井野縁の長手方向に沿って直線状に延びて前記天井野縁を上方から覆い、かつ前記天井野縁の側面に固定部材を介して固定されたことを特徴とする請求項１に記載の形状保持部材付き天井野縁。
【請求項３】
前記形状保持部材と前記天井野縁の上面との間に隙間が形成されるように、前記形状保持部材は前記天井野縁の上面から上方に突出して取り付けられたこと特徴とする請求項１又は２に記載の形状保持部材付き天井野縁。
【請求項４】
天井野縁と、天井野縁受けと、を備え、前記天井野縁の下面に天井ボードが取り付けられる天井野縁ユニットにおいて、
前記天井野縁は上方に反らされた形状を呈しており、当該反り形状を保持するための形状保持部材が前記天井野縁の長手方向に沿って、前記天井野縁を覆って取り付けられ、
前記形状保持部材の上面に前記天井野縁受けが取り付けられたことを特徴とする天井野縁ユニット。
【請求項５】
前記形状保持部材は、前記天井野縁を上方に反らせた状態で、前記天井野縁の長手方向に沿って直線状に延びて前記天井野縁を上方から覆い、かつ前記天井野縁の側面に固定部材を介して固定されたことを特徴とする請求項４に記載の天井野縁ユニット。
【請求項６】
前記形状保持部材と前記天井野縁の上面との間に隙間が形成されるように、前記形状保持部材は前記天井野縁の上面から上方に突出して取り付けられたこと特徴とする請求項５に記載の形状保持部材付き天井野縁ユニット。
【請求項７】
前記形状保持部材は、前記天井野縁の長手方向に沿って当該側面の複数の箇所で前記固定部材を介して固定されたことを特徴とする請求項５又は６に記載の天井野縁ユニット。
【請求項８】
両端が間仕切壁に固定された天井野縁と、天井野縁受けと、前記天井野縁の下面に取り付けられた天井ボードと、を備える天井面の構造において、
前記天井野縁は上方に反らされた形状を呈しており、当該反り形状を保持するための形状保持部材が前記天井野縁の長手方向に沿って、前記天井野縁を覆って取り付けられ、
前記形状保持部材の上面に前記天井野縁受けが取り付けられたことを特徴とする天井面の構造。
【発明の詳細な説明】
【技術分野】
【０００１】
本発明は、建物の天井面を形成するために用いられる形状保持部材付き天井野縁、天井野縁ユニット及びこの天井野縁ユニットを用いて形成される天井面の構造に関する。
【背景技術】
【０００２】
従来、建物の天井面１０として、以下のような構造のものが知られている。即ち、図５、図６に示すように、小屋組や２階床などの梁（不図示）に、高さ調整機能を有する吊ボルト１を介して天井野縁受け２を取り付ける。吊ボルト１は、ナット３及びハンガー４を介して天井野縁受け２に取り付けられ、ナット３を工具で回すことにより、天井野縁受け２の高さを調節できるようになっている。そして、天井野縁受け２にクリップ５を介して天井野縁６を取り付ける。
【０００３】
天井野縁受け２は、必要に応じて、ジョイント７を介して別の天井野縁受け２と連結することにより延長可能であり、天井野縁６もジョイント８を介して別の天井野縁６と連結することにより延長可能になっている。
【０００４】
そして、吊ボルト１の高さ調節機能を用いて、天井野縁６の下面が水平な平面を形成するように天井野縁６の取り付け位置を調節し、天井野縁６の下面に天井ボード９を取り付けることにより天井面１を形成していた。
【０００５】
このような建物の天井面１０の形状は水平な平面とされる場合が多い。しかし、特に広い部屋においては、天井面１０を水平な平面としたのみでは、天井面１０の中央部が垂れ下がっているように居住者が感じる場合がある。そこで、天井面１０にむくりを形成することにより、そのような不都合を解消していた。
【０００６】
そのため、従来は、天井面１０のむくりを形成するために、吊ボルト１の高さ調節機能を用いて、天井野縁受け２を部屋の中央部では高く位置するように吊り上げていた。
【先行技術文献】
【特許文献】
【０００７】
【特許文献１】特開２００１−９８６９２号公報
【特許文献２】特開２００４−２５７１５９号公報
【発明の概要】
【発明が解決しようとする課題】
【０００８】
上述のように、従来の天井面の構造では、吊ボルト１の高さ調節機能を用いて、天井野縁６の取り付け位置を調節して、天井面１０を水平な平面にしたり、あるいは天井面１０むくりを形成していたことから、その分、建設現場での作業工数が生じていた。
【０００９】
そこで、本発明は、建設現場での作業工数を削減すると共に、建設コストを低減することを目的とする。
【課題を解決するための手段】
【００１０】
本発明は上述の従来技術の課題に鑑みてなされたものであり、その主な解決手段は以下の通りである。
【００１１】
即ち、本発明の形状保持部材付き天井野縁は、上面と下面を有し、下面に天井ボードが取り付けられる天井野縁において、前記天井野縁は上方に反らされた形状を呈しており、当該反り形状を保持するための形状保持部材が前記天井野縁の長手方向に沿って、前記天井野縁を覆って取り付けられたことを特徴とするものである。
【００１２】
また、本発明の天井野縁ユニットは、天井野縁と、天井野縁受けと、を備え、前記天井野縁の下面に天井ボードが取り付けられる天井野縁ユニットにおいて、前記天井野縁は上方に反らされた形状を呈しており、当該反り形状を保持するための形状保持部材が前記天井野縁の長手方向に沿って、前記天井野縁を覆って取り付けられ、前記形状保持部材の上面に前記天井野縁受けが取り付けられたことを特徴とするものである。
【００１３】
また、本発明の天井面の構造は、両端が間仕切壁に固定された天井野縁と、天井野縁受けと、前記天井野縁の下面に取り付けられた天井ボードと、を備える天井面の構造において、前記天井野縁は上方に反らされた形状を呈しており、当該反り形状を保持するための形状保持部材が前記天井野縁の長手方向に沿って、前記天井野縁を覆って取り付けられ、前記形状保持部材の上面に前記天井野縁受けが取り付けられたことを特徴とするものである。
【発明の効果】
【００１４】
本発明によれば、建物の天井面を形成するにあたって、建設現場での作業工数を削減すると共に、建設コストを低減することができる。
【図面の簡単な説明】
【００１５】
【図１】本発明の実施形態による天井面の構造を示す断面図である。
【図２】本発明の実施形態による天井野縁の構造を示す図である。
【図３】本発明の実施形態による天井野縁の構造を示す図である。
【図４】図２（ｃ）のＡ−Ａ線断面図である。
【図５】従来例による天井面の構造を示す斜視図である。
【図６】従来例による天井面の構造を示す斜視図である。
【発明を実施するための形態】
【００１６】
以下、本発明の実施形態について図面に基づき説明する。図１は、建物の天井面５０の構造を示す断面図である。図示のように、天井野縁１１の両端は部屋の間仕切壁１２に固定されており、この天井野縁１１の上部に天井野縁受け１３が天井野縁１１と交差するように取り付けられている。そして、天井野縁１１の下面に天井ボード１４が取り付けられている。
【００１７】
この場合、天井野縁１１を上方に反らせた状態で、天井野縁１１に反り形状を保持するための形状保持部材１５を取り付ける。これにより、従来例（図５、図６）のような天井野縁受けの高さ調整機能を有する吊ボルト１等の部材を不要にしたものである。その他の構成は、従来例と同様である。
【００１８】
以下、形状保持部材１５付きの天井野縁１１の具体的な構成を図２乃至図４に基づいて説明する。図２（ａ）は、形状保持部材１５でカバーされた天井野縁１１の平面図、図２（ｂ）〜（ｄ）はその側面図である。また、図４は、図２（ｃ）のＡ−Ａ線断面図である。
【００１９】
先ず、図２（ａ）、（ｂ）に示すように、天井野縁１１が上方に反らされる前に、天井野縁１１の長手方向（ｙ方向）に沿って、その上面及び側面を部分的に覆って、形状保持部材１５が上方から天井野縁１１にはめ込まれる。形状保持部材１５の長さは、天井野縁１１より若干短くなっているが、天井野縁１１とほぼ同じ長さにしても良い。
【００２０】
その後、図２（ｃ）に示すように、天井野縁１１の上面の両端を固定し、天井野縁１１を下面の中央部から上方（ｚ方向）に向けて押し上げることにより、天井野縁１１を上方に反らせる。天井野縁１１はその中央部に近づくに従い上方に突出し、全体として見ると上方に湾曲した形状になる。
【００２１】
このように天井野縁１１が反らされた状態においても、形状保持部材１５は反らされることはなく、天井野縁１１の長手方向に沿って直線状に延びて天井野縁１１を上方及び側面を部分的に覆っている。
【００２２】
この状態で、形状保持部材１５を天井野縁１１の側面の複数の箇所でビス１６によりビス止めする。形状保持部材１５は、ビス１６以外の固定部材を介して固定しても良い。
【００２３】
その後、天井野縁１１を反らせていた強制力（押圧力等）を開放すると、天井野縁１１は、スプリングバックにより元の直線形状に戻ろうとするが、形状保持部材１５に抑えられて、天井野縁１１の反り形状を残すことができる。
【００２４】
天井野縁１１の長手方向における両端部のビス止め箇所は、天井野縁１１の側面の上下方向において、形状保持材１５の側面と重畳する領域の幅の中央位置にあることが好ましい。そして、他のビス止め箇所は、形状保持材１５の長手方向と平行な線上に並んでおり、かつ、天井野縁１１の両端部のビス止め箇所を結ぶ線上に並んでいることが好ましい。具体的なビス止め箇所は、天井野縁１１及び形状保持材１５の端空きが破損しない位置に設定される。これにより、形状保持部材１５の形状保持機能を高めることができる。また、ビス止め箇所は形状保持材１５の長手方向と平行な線上に形成すればよいことから、ビス止めを容易に行うことができる。
【００２５】
そして、形状保持材１５による形状保持機能を更に高めるためには、形状保持部材１５を天井野縁１１の上面から上方に突出させ、形状保持部材１５の長手方向に渡って、形状保持部材１５と天井野縁１１の上面との間に隙間が形成されるように取り付けることが好ましい。これにより、上述の天井野縁１１のスプリングバック力に耐える形状保持部材１５の機械的強度が高まるからである。この場合、図３に示すように、形状保持部材１５を天井野縁１１の上面からできる限り上方に突出させて取り付けることが形状保持機能を更に高める上で好ましい。
【００２６】
また、図４の断面図に示すように、天井野縁１１の断面は矩形状の筒であり、形状保持部材１５の断面はコの字状であることが軽量化と機械的強度を確保するために望ましい。この場合においても、上述のように、形状保持部材１５を天井野縁１１の上面から上方に突出させ、形状保持部材１５と天井野縁１１の上面との間に隙間Ｋが形成されるように取り付けることが好ましい。この隙間Ｋの形成に応じて、形状保持部材１５の側面が天井野縁１１の上面から上方に突出することになり、この突出部分で天井野縁１１のスプリングバック力に耐える強度が得られるからである。
【００２７】
このようにして形成された天井野縁１１を含めた天井野縁ユニットを建設現場に運搬して、建物の天井面５０の形成に用いる。そして、建設現場において、図１に示すように、天井野縁１１、天井野縁受け１３を組み上げ、その後、図２（ｄ）に示すように、天井野縁１１の下面に、石膏ボード等からなる天井ボード１４を取り付けることで、天井面５０を形成する。
【００２８】
この時、天井野縁１１の自重と天井ボード１４の荷重により、天井野縁１１は垂れ下がろうとするが、天井野縁１１は形状保持部材１５により上方に反らされているため、天井野縁１１の垂れ下がりを抑えることができる。この場合、天井ボード１４の重さを考慮して、天井野縁１１の反りの大きさを調節することにより、天井面５０を水平な平面にしたり、天井面５０にむくりを形成することもできる。
【００２９】
このように、本実施形態によれば、従来例のように吊ボルト１を天井野縁等の高さ調整をする作業が不要になるので、その分、建設現場での作業工数を削減することができる。また、吊ボルト１等の部材が不要になることから、部材コストを含めた建設コストを低減することができる。さらに、吊ボルト１が不要になることから、上層階の床等の振動が吊りボルト１を介して下層階に伝達されることが防止される。
【００３０】
なお、上記実施形態においては、天井野縁受け１３が天井野縁１１に取り付けられているが、天井面５０の面積が小さい場合、即ち部屋の広さが小さい場合には、天井野縁１１だけでも天井ボード１４を支持するのに十分な強度が得られることから、天井野縁受け１３を取り付けなくてもよい。
【００３１】
また、図１の天井面５０においては、一本の天井野縁１１を間仕切壁１２の間に配設しているが、必要に応じて複数本の天井野縁１１をジョイントで相互に連結して配設しても良い。また、天井野縁１１、天井野縁受け１３、形状保持部材１５の材料は、鉄筋建物においては鋼材であるが、木造建物においては木材を用いることもできる。
【符号の説明】
【００３２】
１１  天井野縁      １２  間仕切壁      １３  天井野縁受け
１４  天井ボード      １５  形状保持部材      １６  ビス
１７  曲げ治具１７    ５０  天井面
【図１】
0005405931.tif 000002
【図２】
0005405931.tif 000003
【図３】
0005405931.tif 000004
【図４】
0005405931.tif 000005
【図５】
0005405931.tif 000006
【図６】
0005405931.tif 000007